(57)【要約】      （修正有）【課題】手術中における人体神経検出多機能アラームシステムを提供する。【解決手段】本体１と本体と接続されるインターフェースボックス２を含み、該本体はホスト入力インターフェースを介して導線３と接続され、該導線の他端は導電接続部４と接続され、該導電接続部はバネクリップ、金属歯及び金属クリップと電気的に導通する第１のインターフェースの金属クリップを含み、金属クリップはどの違う金属の手術装置でも使えるので、該装置は簡単になり、患者の苦痛は緩和になり、手術の安全性も高くなる。フィードバック信号は外界環境の影響を受けないために、金属のクリップの表面は絶縁コーティングされている。導線には多孔ターミナルブロックが直列接続されており、その両端にはホスト入力インターフェースと第１のインターフェースとに対応する第１差込端部及び第２差込端部がそれぞれ設けられている。該装置のドッキングは便利であり、簡単であり、手術の能率を高めるのである。【選択図】図１
0003206450.tif 000002
【実用新案登録請求の範囲】
【請求項１】
手術中における人体神経検出多機能アラームシステムであって、リアルタイムでのモニタリング、処理、アラームの機能を有する本体と神経検出信号及びデータをリアルタイムで表示するインターフェースボックスとを含み、該インターフェースボックスは本体と接続され、前記本体にホスト入力インターフェースが設けられ、前記人体神経検出多機能アラームシステムはさらに導電接続部を含み、該導電接続部は導線を介して前記本体に接続することを特徴とする、人体神経検出多機能アラームシステム。
【請求項２】
請求項１に記載の手術中における人体神経検出多機能アラームシステムであって、前記導電接続部は表面が絶縁コーティングされた金属クリップであり、該金属クリップの手で保持する側の一方には第１インターフェースが固定的に設けられており、該第１インターフェースと金属クリップとは電気的に導通し、前記導線には多孔ターミナルブロックが直列接続されており、その両端にはホスト入力インターフェースと第１のインターフェースとに対応する第１差込端部及び第２差込端部がそれぞれ設けられていることを特徴とする、手術中における人体神経検出多機能アラームシステム。
【請求項３】
請求項２に記載の手術中における人体神経検出多機能アラームシステムであって、前記導線は本体と多孔ターミナルブロックとを接続する第１導線と多孔ターミナルブロックと導電接続部とを接続する第２導線を含み、第２差込端部は第２導線の一端に設けられ、該第２導線の他端は多孔ターミナルブロックと差込対応関係にある第３差込端部であることを特徴とする、手術中における人体神経検出多機能アラームシステム。
【請求項４】
請求項２に記載の手術中における人体神経検出多機能アラームシステムであって、前記金属クリップはバネクリップであり、このクリップの内側には金属クリップと一体的に形成される金属歯が設けられており、該金属歯の側面は絶縁コーティングされていることを特徴とする、手術中における人体神経検出多機能アラームシステム。
【請求項５】
請求項２に記載の手術中における人体神経検出多機能アラームシステムであって、前記ホスト入力インターフェースと第１インターフェースはＵＳＢインターフェースであり、前記第１差込端部と第２差込端部はそれぞれ同様にホスト入力インターフェースと第１のインターフェースと対応するＵＳＢプラグであることを特徴とする、手術中における人体神経検出多機能アラームシステム。
【請求項６】
請求項２に記載の手術中における人体神経検出体機能アラームシステムであって、前記ホスト入力インターフェースと第１インターフェースはそれぞれイヤフォンインターフェースであり、前記第１差込端部と第２差込端部はそれぞれ同様にホスト入力インターフェースと第１インターフェースと対応するイヤフォンジャックであることを特徴とする、手術中における人体神経検出多機能アラームシステム。
【考案の詳細な説明】
【技術分野】
【０００１】
本考案は医療器械に関わり、特に手術中における人体神経検出多機能アラームシステムに関連する。
【背景技術】
【０００２】
臨床的な神経検出技術の発展とともに、神経の検出技術はますます成熟し、同時に喉の反回神経、喉に顔面神経、舌咽神経、副神経、横隔神経、脊髄神経節などのすべての運動神経に関連する医療器械は、それぞれに対応するアラームシステムがある。手術中における人体神経検出多機能アラームシステムの目的は、できる早く手術によってもたらされる神経の損傷を発見し、すばやく手術におけるミスを是正し、永遠的神経損傷を避ける。
【０００３】
現在使用されている人体神経検出多機能アラームシステムは、本体のインターフェースボックスの接続線で身体の異なる部位と接続し回路を形成し、最後はゾンデによって流している小さな電流で神経を刺激して筋電の信号を獲得する。本体は信号を拡大し、筋電図を記録し、アラームの音を出す。手術者はゾンデを下し、手術機械で神経を分離して解剖し、神経を保護しようとする。
【考案の概要】
【考案が解決しようとする課題】
【０００４】
現在の人体神経検出多機能アラームシステムは以下の欠点がある。第一：神経をそれぞれリアルタイムに検出することはできない。手術者がゾンデを下し、手術機械で神経を分離して解剖することは盲目的なことである（神経検出盲目区）。また神経損傷の可能性はかなり高く、本当のリアルタイムの神経検出に達していない。手術は大体的に完成される際に、手術者はゾンデで神経の完全性と性能を検出する。このことは損傷した神経にとっては意味がない。第二：手術者は助手と一緒に神経に対するリアルタイムの神経検出を行うことができない。さらに、手術者は頻繁的にゾンデと手術機械を交替するのは、手術の進度に影響し、さらに不必要なリスクを増やすのである。
【課題を解決するための手段】
【０００５】
現在の手術中における人体神経検出多機能アラームシステムにおいて、ゾンデの頻繁的な交替、手術機械及び神経をそれぞれアルタイムに検出することができないなどの問題に基づき、手術中における人体運動神経検出多機能のリアルタイム検出器を考案する。
本考案において採用された技術計画は以下のものである。
【０００６】
手術中における人体神経検出多機能アラームシステムであって、リアルタイムでのモニタリング、処理、アラームの機能を有する本体と神経検出信号及びデータをリアルタイムで表示するインターフェースボックスとを含み、該インターフェースボックスは本体と接続され、前記本体にホスト入力インターフェースが設けられ、前記人体神経検出多機能アラームシステムはさらに導電接続部を含み、該導電接続部は導線を介して前記本体に接続する。
【０００７】
手術中における人体神経検出多機能アラームシステムであって、前記導電接続部は表面が絶縁コーティングされた金属クリップであり、該金属クリップの手で保持する側の一方には第１インターフェースが固定的に設けられており、該第１インターフェースと金属クリップとは電気的に導通し、前記導線には多孔ターミナルブロックが直列接続されており、その両端にはホスト入力インターフェースと第１のインターフェースとに対応する第１差込端部及び第２差込端部がそれぞれ設けられている。
【０００８】
前記導線は本体と多孔ターミナルブロックとを接続する第１導線と多孔ターミナルブロックと導電接続部とを接続する第２導線を含み、第２差込端部は第２導線の一端に設けられ、該第２導線の他端は多孔ターミナルブロックと差込対応関係にある第３差込端部である。
【０００９】
前記金属クリップはバネクリップであり、このクリップの内側には金属クリップと一体的に形成される金属歯が設けられており、該金属歯の側面は絶縁コーティングされている。
【００１０】
前記ホスト入力インターフェースと第１インターフェースはＵＳＢインターフェースであり、前記第１差込端部と第２差込端部はそれぞれ同様にホスト入力インターフェースと第１のインターフェースと対応するＵＳＢプラグである。
【００１１】
前記ホスト入力インターフェースと第１インターフェースはそれぞれイヤフォンインターフェースであり、前記第１差込端部と第２差込端部はそれぞれ同様にホスト入力インターフェースと第１インターフェースと対応するイヤフォンジャックである。
【考案の効果】
【００１２】
この実用新案の特徴は：
１、本考案はゾンデで神経を検出し、手術器械で解剖するのではなく、直接に違う金属の手術器械を持つ、導電接続部を形成する。また、本考案は手術順序を簡略化し、病人苦痛を減らし、手術安全性を高める。
２、本考案は導電接続部が設けられている。フィードバック信号は外界環境の影響を避けるために、導電接続部の表面は絶縁コーティングされている。
３、本考案は導線の両端にＵＳＢプラグあるいはイヤフォンジャックが設けられ、手術の効率を高める。
４、本考案の導線は多孔ターミナルブロックが設けられ、多種の神経信号を検出することができる。これは手術中に手医療チームが手術を進めるのを容易にし、頻繁に線を変えることによってミスを避け、その上、手術の安全性を高める。
５、本考案はつなぎ合わせるインターフェースで多種の手術器械と接続することができる。一般的な手術器械は検出機能を有するので、手術中に見えない運動神経の神経検出をリアルタイムに行うことができる。該設備の機能はよく拡張されている。
【図面の簡単な説明】
【００１３】
【図１】図１はこの実用新案の構造図である
【図２】図２はこの実用新案の本体の構造図である
【図３】図３はこの実用新案の導線の構造図である
【図４】図４はこの実用新案の導電接続部の構造図である
【考案を実施するための形態】
【００１４】
以下の示される図によって、さらに説明する。
【００１５】
図示されるように、手術中における人体神経検出多機能アラームシステムであって、リアルタイムでのモニタリング、処理、アラームの機能を有する本体１と神経検出信号及びデータをリアルタイムで表示するインターフェースボックス２とを含み、該インターフェースボックス２は本体１と接続され（データ線で接続でき、データ転送を提供する）、本体１には本体の検出信号のホスト入力インターフェースが設けられ、本体１のホスト入力インターフェース１０１は導線３と接続し、導線３の一端は導電接続部４と接続する。
【００１６】
導電接続部４の表面は絶縁コーティングされている金属クリップ４０１が設けられ、該金属クリップの手で保持する側の一方４０２には第１インターフェース４０３が固定的に設けられており、該第１インターフェース４０３と金属クリップとは電気的に導通する。
【００１７】
前記導線３には多孔ターミナルブロック３０１が直列接続されており、該導線３は本体１と多孔ターミナルブロック３０１と接続する第１導線３０２、及び導電接続部４と接続する第2導線３０３を含める。第１導線３０２の一端には本体のホスト入力インターフェース１０１と対応する第１差込端が設けられ、その他端は多孔ターミナルブロック３０１の一端と接続する。前記第2導線３０２には第１インターフェース４０３と対応する第２差込端部３０５が設けられ、一端には多孔ターミナルブロック３０１と対応する第２差込端部３０６が設けられている。
【００１８】
前記ホスト入力インターフェース１０１と第１インターフェース４０３はＵＳＢインターフェースであり、前記第１差込端部３０４と第２差込端部３０５はそれぞれ同様にホスト入力インターフェース１０１と第１のインターフェース４０３に対応するＵＳＢプラグである
【００１９】
最適の考えとして、前記金属クリップはバネクリップであり、このクリップ４０４の内側には金属クリップと一体的に形成される金属歯４０５が設けられており、該金属歯４０５の側面は絶縁コーティングされている。
【００２０】
以上の構造によると、このシステムの使用状況は以下のようになる。
【００２１】
設置するとき、導線３の第１差込端部３０４を本体１と対応するホスト入力インターフェース１０１に入れ、その一端の第２差込端部３０５を導電接続部４の第１インターフェース４０３に入れ、その上に導電接続部４は導線３で本体１と電気的に導通し、導電接続部４の挟む違う必要な金属の手術器械によって、違う金属の手術器械は本体と電気的に導通する。
【００２２】
使用するとき、導電接続部４は手術の状況によっていつかに違う金属の手術器械を使用する。手術の必要を満足するため、導線３の多孔ターミナルブロック３０１は他の導線、導電接続部及び金属の手術器械と接続する。担当医師の助手の手伝いとして、担当医師の仕事を軽減する。
【００２３】
導電接続部４は導電性なので、身体と手術に使用される他の器械は導電性があるかもしれない。だから導電接続部４の表面とクリップ４０４の金属歯４０６の内側は絶縁コーティングされている。邪魔を避け、データの精度を維持するように。
【００２４】
以上は単に本考案の具体的な実施形態である。だが、考案を保護する範囲はここに関わらず、本分野の当業者は本考案の技術分野において容易に想到することができる変更は全て本考案の保護範囲に含まれる。
【図１】
0003206450.tif 000003
【図２】
0003206450.tif 000004
【図３】
0003206450.tif 000005
【図４】
0003206450.tif 000006